(57)【特許請求の範囲】
【請求項１】
皿状のレボルバー保持部（１０）上に交換可能に保持され、レボルバー保持部（１０）を回転させることによって選択的に作用位置へもたらし可能である同一構造の複数個の蛍光立方体（５，６，７，８）を有し、作用位置にある蛍光立方体（５または６または７または８）に蛍光光源（２５）の励起光（２６）を作用させて該励起光（２６）を作用位置にある蛍光立方体（５または６または７または８）内で被検物（３３）のほうへ反射させ、被検物（３３）から出る蛍光をして作用位置にある蛍光立方体（５または６または７または８）を貫通させて観察光路（２１）へ導くようにした倒立型顕微鏡用蛍光装置において、
レボルバー保持部（１０）が倒立型顕微鏡（１）の凹部（３）内へ引出状に挿入可能な挿入モジュール（２）で保持され、凹部（３）内への挿入モジュール（２）の挿入方向（１１）が倒立型顕微鏡（１）の鉛直方向の光軸（９）に垂直であること、
挿入モジュール（２）の壁部分（２９）が穴（２８）を有し、この穴（２８）から皿状のレボルバー保持部（１０）の波形ホイールとして構成された縁部を突出させて手動で回転可能にさせることにより、挿入モジュール（２）を挿入したときに蛍光立方体（５，６，７，８）を順次作用位置へもたらし可能であるようにしたことを特徴とする倒立型顕微鏡用蛍光装置。
【請求項２】
挿入モジュール（２）が、挿入モジュール（２）の壁部分（２９）を貫通するスライダ（２２）を有し、該スライダ（２２）は、挿入モジュール（２）を移動させる機能と、スライダ（２２）の観察者側の端部に取り付けられる操作部（２３）を介して、スライダ（２２）の他端に取り付けられる防熱フィルタ（２４）または不透明なダークストッパー（２７）を励起光束（２６）内へ挿入させる機能との二つの機能を観察者に提供することを特徴とする、請求項１に記載の倒立型顕微鏡用蛍光装置。
【請求項３】
操作部（２３）が、挿入モジュール（２）及び防熱フィルタ（２４）及び（または）ダークストッパー（２７）の片手操作を可能にすることを特徴とする、請求項２に記載の倒立型顕微鏡用蛍光装置。
【請求項４】
挿入モジュール（２）が、倒立型顕微鏡（１）のケーシングと同一平面上になるような状態で該ケーシングで終わっていることを特徴とする、請求項１から３までのいずれか１つに記載の倒立型顕微鏡用蛍光装置。
【請求項５】
作用位置にもたらされた蛍光立方体（５）が、非作用位置にある蛍光立方体（６，７，８）に関し、蛍光光源（２５）にたいしては間隔が最も短くなるように、且つ観察者にたいしては間隔が最も遠くなるように位置決めされていることを特徴とする、請求項１に記載の倒立型顕微鏡用蛍光装置。
【発明の詳細な説明】
【０００１】
【産業上の利用分野】
本発明は、皿状のレボルバー保持部上に交換可能に保持され、レボルバー保持部を回転させることによって選択的に作用位置へもたらし可能である同一構造の複数個の蛍光立方体を有し、作用位置にある蛍光立方体に蛍光光源の励起光を作用させて該励起光を作用位置にある蛍光立方体内で被検物のほうへ反射させ、被検物から出る蛍光をして作用位置にある蛍光立方体を貫通させて観察光路へ導くようにした倒立型顕微鏡用蛍光装置に関するものである。
【０００２】
【従来の技術】
蛍光顕微鏡による観察も行える倒立型顕微鏡は知られている。その欠点は、選択的に作用位置へもたらされねばならない特殊な蛍光立方体が例えば線形運動するスライダ上に配置されていることである。最近の蛍光顕微鏡による観察にたいしては、同種類の３個以上の蛍光立方体、しかも機能が異なっているこれらの蛍光立方体を使用しなければ、疲労の少ない人間工学的な操作を保証できないことが多いので、最近の人間工学的な観点から設計された倒立型顕微鏡のケーシングに上記線形スライダを収納配置できないことは難点である。さらにケーシングの構成の点、デザイン、人間工学的な操作全体、及び安定性の点でも欠点がある。この種の線形スライダ構成の場合に、個々の蛍光立方体の交換性をも実現したい場合には、対応するケーシング部分に接近するための手段を付加的に設けねばならない。このような手段は、構成及びデザインの点で顕微鏡全体のイメージを一層損なわせるものである。
【０００３】
【発明が解決しようとする課題】
本発明の課題は、倒立型顕微鏡に人間工学的に組み込み可能で、しかも蛍光立方体の操作が簡単で人間工学的であるような蛍光立方体モジュールを提供することである。
【０００４】
【課題を解決するための手段】
本発明は、上記課題を解決するため、レボルバー保持部が倒立型顕微鏡の凹部内へ引出状に挿入可能な挿入モジュールで保持され、凹部内への挿入モジュールの挿入方向が倒立型顕微鏡の鉛直方向の光軸に垂直であること、挿入モジュールの壁部分が穴を有し、この穴から皿状のレボルバー保持部の波形ホイールとして構成された縁部を突出させて手動で回転可能にさせることにより、挿入モジュールを挿入したときに蛍光立方体を順次作用位置へもたらし可能であるようにしたようにしたことを特徴とするものである。
【０００５】
【実施例】
次に、本発明の実施例を添付の図面を用いて説明する。
図１には倒立型顕微鏡１が図示されている。倒立型顕微鏡１は鉛直方向の光軸９を有している。被検物３３を載せる被検物載置テーブル３１の上方にはコンデンサ１８が設けられている。被検物載置テーブル３１の下方には対物レンズレボルバー１７と、そのすぐ下に、挿入モジュール２（図２を参照）のための凹部３とが設けられている。光軸９に沿って延びている結像光路は転向ミラー２０において観察者のほうへ転向し、転向後の観察光路２１は斜め上方へ延びて倒立型顕微鏡１の接眼レンズ１９へ達する。励起光束２６を水平方向に放射する蛍光光源２５は、例えば倒立型顕微鏡１のケーシングの後部領域に配置されている。もちろんこの蛍光光源２５を他の適当な位置に配置することも可能で、例えばランプハウスを介して前記凹部３内に適当に挿着してもよい。図中３０は被検物載置テーブル３１或いは対物レンズレボルバー１７（ｚ・駆動）を鉛直方向に位置調整するための位置調整ヘッドである。もちろんこの位置調整手段を他の位置に配置してもよく、例えば倒立型顕微鏡１のケーシングの後部領域に人間工学を考慮して配置してもよい。
【０００６】
図２は本発明による挿入モジュール２の斜視図である。挿入モジュール２には四つの蛍光立方体５，６，７，８が設けられている。蛍光立方体５は図示の位置では作用位置にある。このことは、この蛍光立方体５が鉛直方向の光軸９と励起光束２６の交点に位置決めされていることを意味している。各蛍光立方体が有している個々の光学的要素、例えば励起フィルタ、二色性ビームスプリッター、遮光フィルタは、例えばオーストリア特許第３６５４１５号公報からその構成及び作用が知られているので、図示していない。
【０００７】
四つの蛍光立方体５，６，７，８はレボルバー保持部１０上に交換可能に設けられている。これらの蛍光立方体を、例えば蟻つぎ十字体としてレボルバー保持部１０上に設けられる蟻つぎ部に設けてもよい。図２にはこの種の保持態様を原則的な理由から図示しなかったが、図３に別の態様の蟻つぎ保持部を図示した。レボルバー保持部１０は引出部４上につぎのように回転可能に保持されており、即ちノッチ手段により９０°回転させた後に四つの蛍光立方体５，６，７，８のそれぞれを選択的に作用位置へもたらすことができるように保持されている。引出部４には鉛直方向の壁部分２９が取り付けられている。壁部分２９は穴２８を有しており、この穴２８から、レボルバー保持部１０の歯付きホイールとして構成された縁部の周領域が一部突出している。このようにして、レボルバー保持部１０を手動で回転させることができる。矢印１１は、凹部３への挿入モジュール２の挿入方向、すなわち倒立顕微鏡１の鉛直方向の光軸９に垂直な挿入方向を示す。引出部４は例えば蟻つぎ部ガイドを有していてもよい。
【０００８】
図３は挿入モジュール２の平面図である。ただし、図面を簡単にするため四つの蛍光立方体５，６，７，８は図示しなかった。図からわかるように、レボルバー保持部１０のためのレボルバー軸線１２は図面に垂直である。レボルバー軸線１２は、正方形の横断面を持った蟻つぎ部支柱３２の中央に位置している。この蟻つぎ部支柱３２に、蛍光立方体５，６，７，８を収容するための蟻つぎ部１３，１４，１５，１６が設けられている。図２に図示した蛍光立方体５は図３の蟻つぎ部１３に取り付けられる。他の蛍光立方体も同様である。蛍光光源２５からは励起光束２６が図３には図示していない蛍光立方体５の中心へ向けて放射されている。蛍光立方体を選択後、軸線方向に変位可能なスライダ２２に固定された防熱フィルタ２４を蛍光光路２６内へ挿入することができる。このため操作部２３が用いられる。スライダ２２をさらに変位させて、ダークストッパー( Dunkelstopp )２７が励起光束２６の放射流を遮断することも可能である。スライダ２２の操作部２３は二重の機能を持っている。即ち既に述べた防熱フィルタ２４を蛍光光路２６内へ挿入する機能のほかに、挿入モジュール２を倒立型顕微鏡１のケーシング内へ矢印１１の方向へ挿入する機能、または例えば蛍光立方体を交換するために、挿入モジュール２をケーシングから取り出す機能を持っている。
【０００９】
図４は図３の側面図である。即ち蛍光光源２５から見た図である。図４からはスライダ２２の二つの平面領域が見て取れる。即ち作用位置にある防熱フィルタ２４と、不透明な板から成っているダークストッパー２７が見て取れる。２９は挿入モジュール２の前記鉛直方向の壁部分である。さらにレボルバー保持部１０も図示されている。レボルバー保持部１０は、作用位置にある蛍光立方体をマーキングするための面をエッジ領域に担持していてもよい。
【００１０】
図面に図示した実施例においては、引出部４または挿入モジュール２は左側から側方へ倒立型顕微鏡１のケーシング内へ挿入される。もちろん本発明の範囲内では、対応する挿入モジュールを右側から側方へ挿入するようにしてもよい。重要なことは、関連するすべての手動手段を“一人操作”で利用できるようにこれらの手動手段が位置決めされていることである。
【００１１】
本発明の利点は、主に、倒立型顕微鏡システムに人間工学的な蛍光立方体モジュールを備えさせることができ、しかも四つの蛍光立方体を取り出すことにより装備換えを簡単に行えることである。構成及び人間工学的な観点から言えば、顕微鏡操作者の操作空間を狭くする必要がないことは別の利点である。最後に、図１に図示した光路が最適なケーシング位置にあるような倒立型顕微鏡システムに本発明による挿入モジュールを使用することは特に有利である。
【００１２】
なお参考までに述べておくと、図１に図示したような光路を備える倒立型顕微鏡は、例えば Cambridge Instruments Optical Systems Division , Buffalo , N.Y., USA の社報“ Bausch & Lomb PhotoZoom (商品名) Inverted Microscope ”第Ｂｌ−３１５２号，１９８８年１２月から知られている。
【００１３】
【発明の効果】
本発明による蛍光装置は、倒立型顕微鏡に人間工学的に組み込み可能で、しかも蛍光立方体の操作は簡単で人間工学的である。
【図面の簡単な説明】
【図１】本発明による蛍光装置を挿入するための凹部をも併せて示した倒立型顕微鏡の側面図である。
【図２】本発明による挿入モジュールの斜視図である。
【図３】蛍光立方体を省略して図示した挿入モジュールの図である。
【図４】図３を蛍光光源の側から見た側面図である。
【符号の説明】
１      倒立型顕微鏡
２      挿入モジュール
３      凹部
４      引出部
５，６，７，８      蛍光立方体
９      光軸
１０    レボルバー保持部
２２    スライダ
２３    操作部
２４    防熱フィルタ
２５    蛍光光源
２６    励起光束
２７    ダークストッパー
２８    穴
２９    挿入モジュールの壁部分
３３    被検物
【図１】
0003690834.tif 000002
【図２】
0003690834.tif 000003
【図３】
0003690834.tif 000004
【図４】
0003690834.tif 000005